(57)【要約】【課題】  異なる色空間を指定された複数のオブジェクトを含む画像データを効果的に印刷する。【解決手段】  画像形成装置１０は画像処理装置２０を有し、この画像処理装置２０には、画像データを受け付けるデータ受付部２００、画像データから中間コードを生成してオブジェクトに指定されている色空間を解析する解析部２０２、オブジェクトの色変換を制御する変換制御部２０４、オブジェクトをｓＲＧＢからＡｄｏｂｅＲＧＢに変換する変換部２０６、中間コードに基づいてレンダリングを行う描画部２０８ａ、２０８ｂ、ＤＬＵＴを参照して画像をｓＲＧＢ色空間あるいはＡｄｏｂｅＲＧＢ色空間から印刷処理に適した表色系の色空間に色変換する色変換部２１０ａ、２１０ｂ、及び、画像の形成を制御する像形成制御部２１２が含まれる。【選択図】  図３
2006080833.tif 000002
【特許請求の範囲】
【請求項１】
オブジェクトを含む画像データを受け付ける受付手段と、
この受付手段により受け付けられた画像データのオブジェクトそれぞれの色空間を解析する解析手段と、
この解析手段による解析結果に基づいて、前記オブジェクトそれぞれの色空間をいずれか１つの色空間に合わせて変換する変換手段と、
を有する画像形成装置。
【請求項２】
前記解析手段は、前記画像データを中間コードに変換して前記オブジェクトそれぞれの色空間を解析する
請求項１に記載の画像形成装置。
【請求項３】
前記解析手段は、前記オブジェクトそれぞれの色空間がｓＲＧＢ色空間であるか否かを解析し、
前記変換手段は、前記解析手段により前記オブジェクトの少なくとも１つの色空間がｓＲＧＢ色空間とは異なる色空間であると解析された場合には、オブジェクトそれぞれの色空間をこの異なる色空間に合わせて変換する
請求項１または２に記載の画像形成装置。
【請求項４】
前記解析手段は、前記オブジェクトそれぞれの色空間がＡｄｏｂｅＲＧＢ色空間であるか否かを解析し、
前記変換手段は、前記解析手段により前記オブジェクトの少なくとも１つの色空間がＡｄｏｂｅＲＧＢ色空間であると解析された場合には、オブジェクトそれぞれの色空間をＡｄｏｂｅＲＧＢ色空間に合わせて変換する
請求項３に記載の画像形成装置。
【請求項５】
前記受付手段は、ｓｃＲＧＢ色空間で表現された画像データを受け付ける
請求項１乃至４のいずれかに記載の画像形成装置。
【請求項６】
オブジェクトを含む画像データを受け付け、
この受け付けられた画像データのオブジェクトそれぞれの色空間を解析し、
この解析結果に基づいて、前記オブジェクトそれぞれの色空間をいずれか１つの色空間に合わせて変換する、
画像形成方法。
【請求項７】
コンピュータを含む画像形成装置において、
オブジェクトを含む画像データを受け付ける受付ステップと、
この受け付けられた画像データのオブジェクトそれぞれの色空間を解析する解析ステップと、
この解析結果に基づいて、前記オブジェクトそれぞれの色空間をいずれか１つの色空間に合わせて変換する変換ステップと、
を前記画像形成装置に実行させるプログラム。
【発明の詳細な説明】
【技術分野】
【０００１】
本発明は、カラー印刷機構が設けられたプリンタ、複写機等の画像形成装置に関する。
【背景技術】
【０００２】
この種の画像形成装置においては、複数の電子ドキュメント形式の画像データを扱うことができる。電子ドキュメント形式としては、ＰＤＦ(Portable Document Format)あるいはプリンタ記述言語ＰｏｓｔＳｃｒｉｐｔ３が広く使われている。
非特許文献１においては、これらの電子ドキュメント形式では、オブジェクトの色空間がそのオブジェクトごとに指定されうることが開示されている。このため、異なる色空間を使用した複数のオブジェクトが、１ページ内に混在される場合がある。プリンタ内部の色空間はｓＲＧＢに統一されており、ｓＲＧＢ以外の色空間が指定されたオブジェクトは、ｓＲＧＢに変換して処理されることがよく知られている。
非特許文献２においては、ｓＲＧＢよりも広い色域を表現できるＡｄｏｂｅＲＧＢが開示されている。ＡｄｏｂｅＲＧＢが使われた画像は、デジカメの普及に伴って、流通するようになってきた。また、プリンタはｓＲＧＢよりも広い色域を表現可能である場合も多い。したがって、プリンタで表現可能な領域が、ＡｄｏｂｅＲＧＢからｓＲＧＢに変換する過程においてクリップされてしまう。
例えば、特許文献１においては、オブジェクトの色空間をデバイスの色空間に統一する方法が開示されている。
【０００３】
しかしながら、デバイスの色空間に統一する方法では、ＲＯＰ処理やＴｒａｎｓｐａｒｅｎｃｙ  Ｂｌｅｎｄ処理での精度が得られないという問題がある。また、プリンタ内部の色空間をＡｄｏｂｅＲＧＢに統一する方法では、最も一般的に使われているｓＲＧＢのオブジェクトをその都度ＡｄｏｂｅＲＧＢに変換する必要があり、効率が悪くなってしまう。
【０００４】
【非特許文献１】アドビシステムズ著，ドキュメントシステム翻訳，「ＰＤＦリファレンス第２版−Adobe Portable Document Format Version 1.3」，（米国），第２版，ピアソンエデュケーション，２００１年９月
【非特許文献２】アドビシステムズ，「ＲＧＢ設定−Ａｄｏｂｅ  Ｐｈｏｔｏｓｈｏｐ５．０のカラー管理」，［ｏｎｌｉｎｅ」，平成１６年，アドビシステムズ，［平成１６年９月１日検索］，インターネット＜ＵＲＬ：http://www.adobe.co.jp/support/techguides/photoshop/cms1/rgbset.html＞
【特許文献１】特開平０８−２３５３４６
【発明の開示】
【発明が解決しようとする課題】
【０００５】
本発明は、上述した背景からなされたものであり、異なる色空間を指定された複数のオブジェクトを含む画像データを効果的に印刷できる画像形成装置を提供することを目的とする。
【課題を解決するための手段】
【０００６】
上記目的を達成するために、本発明の第１の特徴とするところは、オブジェクトを含む画像データを受け付ける受付手段と、この受付手段により受け付けられた画像データのオブジェクトそれぞれの色空間を解析する解析手段と、この解析手段による解析結果に基づいて、前記オブジェクトそれぞれの色空間をいずれか１つの色空間に合わせて変換する変換手段と、を有する画像形成装置にある。
【０００７】
好ましくは、前記解析手段は、前記画像データを中間コードに変換して前記オブジェクトそれぞれの色空間を解析する。
好ましくは、前記解析手段は、前記オブジェクトそれぞれの色空間がｓＲＧＢ色空間であるか否かを解析し、前記変換手段は、前記解析手段により前記オブジェクトの少なくとも１つの色空間がｓＲＧＢ色空間とは異なる色空間であると解析された場合には、オブジェクトそれぞれの色空間をこの異なる色空間に合わせて変換する。
【０００８】
また、好ましくは、前記解析手段は、前記オブジェクトそれぞれの色空間がＡｄｏｂｅＲＧＢ色空間であるか否かを解析し、前記変換手段は、前記解析手段により前記オブジェクトの少なくとも１つの色空間がＡｄｏｂｅＲＧＢ色空間であると解析された場合には、オブジェクトそれぞれの色空間をＡｄｏｂｅＲＧＢ色空間に合わせて変換する。
さらに、好ましくは、前記受付手段は、ｓｃＲＧＢ色空間で表現された画像データを受け付ける。
【０００９】
本発明の第２の特徴とするところは、オブジェクトを含む画像データを受け付け、この受け付けられた画像データのオブジェクトそれぞれの色空間を解析し、この解析結果に基づいて、前記オブジェクトそれぞれの色空間をいずれか１つの色空間に合わせて変換する、画像形成方法にある。
【００１０】
本発明の第３の特徴とするところは、コンピュータを含む画像形成装置において、オブジェクトを含む画像データを受け付ける受付ステップと、この受け付けられた画像データのオブジェクトそれぞれの色空間を解析する解析ステップと、この解析結果に基づいて、前記オブジェクトそれぞれの色空間をいずれか１つの色空間に合わせて変換する変換ステップと、を前記画像形成装置に実行させるプログラムにある。
【発明の効果】
【００１１】
本発明に係る画像形成装置によれば、異なる色空間を指定された複数のオブジェクトを含む画像データを効果的に印刷できる。
【発明を実施するための最良の形態】
【００１２】
次に、本発明の実施形態を図面に基づいて説明する。
図１は、タンデム型の画像形成装置１０の構成を示す図である。
図１に示すように、画像形成装置１０は、画像読取ユニット１２、画像形成ユニット１４、中間転写ベルト１６、用紙トレイ１７、用紙搬送路１８、定着器１９及び画像処理装置２０を有する。この画像形成装置１０は、パーソナルコンピュータ（不図示）などから受信した画像データを印刷するプリンタ機能に加えて、画像読取ユニット１２を用いたフルカラー複写機としての機能、及び、ファクシミリとしての機能を兼ね備えた複合機であってもよい。
【００１３】
まず、画像形成装置１０の概略を説明すると、画像形成装置１０の上部には、画像読取ユニット１２及び画像処理装置２０が配設されている。画像読取ユニット１２は、原稿３０に表示された画像を読み取って、画像処理装置２０に対して出力する。画像処理装置２０は、画像読取ユニット１２から入力された画像データ、又は、ＬＡＮなどのネットワーク回線を介してパーソナルコンピュータ（不図示）等から入力された画像データに対して、階調補正及び解像度補正などの画像処理を施し、画像形成ユニット１４に対して出力する。
【００１４】
画像読取ユニット１２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。中間転写ベルト１６は、中間転写体として図中矢印Ａの方向に回動し、これら４つの画像形成ユニット１４Ｋ、１４Ｙ、１４Ｍ、１４Ｃは、画像処理装置２０から入力された画像データに基づいて各色のトナー像を順次形成し、これら複数のトナー像が互いに重ね合わせられるタイミングで中間転写ベルト１６に転写（一次転写）する。なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００１５】
用紙搬送路１８は、中間転写ベルト１６の下方に配設されている。用紙トレイ１７から供給された記録用紙３２は、この用紙搬送路１８上を搬送され、上記中間転写ベルト１６上に多重に転写された各色のトナー像が一括して転写（二次転写）され、転写されたトナー像が定着器３７によって定着され、矢印Ｂに沿って外部に排出される。
【００１６】
次に、画像形成装置１０の各構成についてより詳細に説明する。
図１に示すように、画像読取ユニット１２は、原稿３０を載せるプラテンガラス１２４と、この原稿３０をプラテンガラス１２４上に押圧するプラテンカバー１２２と、プラテンガラス１２４上に載置された原稿３０の画像を読み取る画像読取ユニット１３０とを有する。この画像読取ユニット１３０は、プラテンガラス１２４上に載置された原稿３０を光源１３２によって照明し、原稿３０からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿３０の色材反射光像を所定のドット密度（例えば、１６ドット／ｍｍ）で読み取るように構成されている。
【００１７】
画像処理装置２０は、画像読取ユニット１２により読み取られた画像データ、又は、ネットワーク回線を介して入力された画像データに対して、色変換等の所定の画像処理を施す。なお、画像読取ユニット１２により読み取られた原稿３０の色材反射光像は、例えば、赤（Ｒ）、緑（Ｇ）、青（Ｂ）（各１６ｂｉｔ）の３色の原稿反射率データであり、画像処理装置２０による画像処理によって、イエロー（Ｙ）、マゼンタ（Ｍ）、シアン（Ｃ）、黒（Ｋ）（各８ｂｉｔ）の４色の原稿色材階調データに変換される。
【００１８】
第１の画像形成ユニット１４Ｋ、第２の画像形成ユニット１４Ｙ、第３の画像形成ユニット１４Ｍ及び第４の画像形成ユニット１４Ｃは、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２０から入力された画像データに応じてレーザ光を走査する光走査装置１４０Ｋと、この光走査装置１４０Ｋにより走査されたレーザ光により静電潜像が形成される像形成装置１５０Ｋとを有する。
【００１９】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋよって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
【００２０】
像形成装置１５０Ｋは、矢印Ａの方向に沿って所定の回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５４Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナーで現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００２１】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に所定の速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００２２】
用紙搬送路１８には、用紙トレイ１７から記録用紙３２を取り出す給紙ローラ１８０と、用紙搬送用の第１のローラ対１８１、第２のローラ対１８２及び第３のローラ対１８３と、記録用紙３２を既定のタイミングで二次転写位置に搬送するレジストロール１８４とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙３２上に二次転写される。各色のトナー像が転写された記録用紙３２は、第１の搬送ベルト１８６及び第２の搬送ベルト１８７によって定着器１９へと搬送される。
定着器１９は、上記各色のトナー像が転写された記録用紙３２に対して加熱処理及び加圧処理を施すことにより、トナーを記録用紙３２に溶融固着させる。
【００２３】
図２は、画像処理装置２０の機能構成を例示する図である。
図２に示すように、画像処理装置２０は、データ受付部２００（受付手段）、解析部２０２（解析手段）、変換制御部２０４、変換部２０６（変換手段）、第１の描画部２０８ａ、第２の描画部２０８ｂ、第１の色変換部２１０ａ、第２の色変換部２１０ｂ及び像形成制御部２１２を有する。
なお、画像処理装置２０に含まれる上記各構成は、ＣＰＵ、メモリ及びプログラムなどによりソフトウェア的に実現されてもよいし、ＡＳＩＣなどによりハードウェア的に実現されてもよい。また、第１の描画部２０８ａ、第２の描画部２０８ｂなど複数ある構成部分のいずれかを特定せずに示す場合には、単に「描画部２０８」あるいは「描画部２０８ａ、２０８ｂ」などと略記することがある。
【００２４】
画像処理装置２０において、データ受付部２００は、図１に示された画像読取ユニット１２又は利用者のパーソナルコンピュータから、画像データを受け付け、解析部２０２に対して出力する。この画像データは、例えば、ＲＧＢ各８ｂｉｔで表現され、ｓＲＧＢ空間に属するデータであり、例えば、ＲＧＢ各１６ｂｉｔで表現され、ｓｃＲＧＢ空間に属するデータである。
解析部２０２は、画像データから印刷１ページ分の中間コードを生成し、この中間コードに基づいて、画像データに含まれるオブジェクトそれぞれの色空間を解析し、この解析結果を変換制御部２０４に対して出力する。また、解析部２０２は、生成された中間コードを、変換制御部２０４の制御により変換部２０６あるいは第１の描画部２０８ａに対して出力する。この中間コードは、ＰＤＬ（Page-Description Language：ページ記述言語）により記述されており、オブジェクトそれぞれに指定されている色空間を含む。
【００２５】
変換制御部２０４は、解析部２０２から入力された解析結果に基づいて変換を制御して、オブジェクトそれぞれに指定されている色空間を１つの色空間に合わせる。具体的には、変換制御部２０４は、全てのオブジェクトにｓＲＧＢ色空間を指定されていた場合には、そのままｓＲＧＢ色空間でレンダリングを行うように制御する。変換制御部２０４は、解析部２０２からの中間コードの出力先を制御して、解析部２０２に中間コードを第１の描画部２０８ａに対して出力させる。一方、オブジェクトの少なくとも１つにｓＲＧＢ色空間とは異なる色空間例えばＡｄｏｂｅＲＧＢ色空間を指定されていた場合には、ｓＲＧＢ色空間を指定されているオブジェクト全てをＡｄｏｂｅＲＧＢ色空間に変換してレンダリングを行うように制御する。変換制御部２０４は、解析部２０２からの中間コードの出力先を制御して、解析部２０２に中間コードを変換部２０６に対して出力させる。
【００２６】
変換部２０６は、中間コードにおいてオブジェクトに指定されている色空間を、ｓＲＧＢ色空間からＡｄｏｂｅＲＧＢ色空間に変換し、この変換結果を第２の描画部２０８ｂに対して出力する。変換部２０６は、ＡｄｏｂｅＲＧＢ色空間を予め指定されていたオブジェクトに対しては、変換を施さない。
描画部２０８ａ、２０８ｂは、入力された中間コードに基づいてレンダリングを行い、この結果を色変換部２１０ａ、２１０ｂに対して出力する。具体的には、第１の描画部２０８ａは、色空間としてｓＲＧＢ色空間を指定されているオブジェクトを、ｓＲＧＢ色空間でレンダリングを行い、この結果を第１の色変換部２１０ａに対して出力する。第２の描画部２０８ｂは、色空間としてＡｄｏｂｅＲＧＢ色空間を指定されているオブジェクトを、ＡｄｏｂｅＲＧＢ色空間でレンダリングを行い、この結果を第２の色変換部２１０ｂに対して出力する。
【００２７】
色変換部２１０ａ、２１０ｂは、入力したレンダリング結果を、印刷処理に適した表色系の画像データ（ＹＭＣＫ）に変換し、像形成制御部２１２に対して出力する。色変換部２１０ａ、２１０ｂは、いわゆるＤＬＵＴ(Direct LookUp Table)と呼ばれる色変換テーブルに基づいて、色変換を行う。第１の色変換部２１０ａと第２の色変換部２１０ｂとは、互いに異なるＤＬＵＴを有しており、第１の色変換部２１０ａはｓＲＧＢ色空間から印刷処理に適した色空間（ＹＭＣＫ）に変換するためのＤＬＵＴを有し、第２の色変換部２１０ｂはＡｄｏｂｅＲＧＢ色空間から印刷処理に適した色空間（ＹＭＣＫ）に変換するためのＤＬＵＴを有する。
【００２８】
像形成制御部２１２は、第１の色変換部２１０ａあるいは第２の色変換部２１０ｂから入力された画像データ（ＹＭＣＫ）に応じて、パルス信号を発生させ、光走査装置１４０に対して出力する。より具体的には、像形成制御部２１２は、画像データ（ＹＭＣＫ）に基づいて、第１の光走査装置１４０Ｋ、第２の光走査装置１４０Ｙ、第３の光走査装置１４０Ｍ及び第４の光走査装置１４０Ｃに対して、パルス信号を出力し、画像を形成する。
【００２９】
図３は、画像形成装置１０の動作（Ｓ１０）を示すフローチャートである。
図３に示すように、ステップ１００（Ｓ１００）において、利用者は、パーソナルコンピュータ又は画像読取ユニット１２を介して印刷要求を行う。データ受付部２００は、印刷要求データが入力されると、この印刷要求データに応じて依頼画像の画像データをネットワーク又は画像読取ユニット１２を介して取得し、この画像データを、解析部２０２に対して出力する。解析部２０２は、画像データに基づいて、印刷１ページ分の中間コードを生成する。
【００３０】
ステップ１０２（Ｓ１０２）において、解析部２０２は、中間コードに基づいて、オブジェクトそれぞれの色空間を解析し、この解析結果を変換制御部２０４に対して出力する。変換制御部２０４は、この解析結果に基づいて、この画像にＡｄｏｂｅＲＧＢ色空間のオブジェクトが含まれるか否かを判断し、含まれない場合には、Ｓ１０４の処理に進み、含まれる場合には、Ｓ１０６の処理に進む。
ステップ１０４（Ｓ１０４）において、変換制御部２０４は、解析部２０２を制御して、解析部２０２に中間コードを第１の描画部２０８ａに対して出力させる。第１の描画部２０８ａは、この中間コードに基づいてｓＲＧＢでレンダリングを行い、レンダリング結果を、第１の色変換部２１０ａに対して出力する。
【００３１】
ステップ１０６（Ｓ１０６）において、変換制御部２０４は、解析部２０２を制御して、解析部２０２に中間コードを変換部２０６に対して出力させる。変換部２０６は、色空間としてｓＲＧＢを指定されているオブジェクトの色空間を、ＡｄｏｂｅＲＧＢに変換し、この変換結果を第２の描画部２０８ｂに対して出力する。
ステップ１０８（Ｓ１０８）において、第２の描画部２０８ｂは、この変換結果に基づいてＡｄｏｂｅＲＧＢでレンダリングを行い、レンダリング結果を、第２の色変換部２１０ｂに対して出力する。
【００３２】
ステップ１１０（Ｓ１１０）において、第１の色変換部２１０ａ又は第２の色変換部２１０ｂのいずれかは、それぞれのＤＬＵＴに基づいて、出力デバイスに適した表色系の画像データ（ＹＭＣＫ）に変換し、この画像データ（ＹＭＣＫ）を像形成制御部２１２に対して出力する。像形成制御部２１２は、パルス信号を発生させ、第１の光走査装置１４０Ｋ（黒）、第２の光走査装置１４０Ｙ（イエロー）、第３の光走査装置１４０Ｍ（マゼンタ）及び第４の光走査装置１４０Ｃ（シアン）に対して出力する。像形成制御部２１２は、第１の画像形成ユニット１４Ｋ（黒）、第２の画像形成ユニット１４Ｙ（イエロー）、第３の画像形成ユニット１４Ｍ（マゼンタ）及び第４の画像形成ユニット１４Ｃ（シアン）により、画像データ（ＹＭＣＫ）の色が再現されるように制御する。
【００３３】
このようにして、画像形成装置１０は、画像データに含まれるオブジェクトの色空間を解析して、解析結果に基づいて色変換を行うので、処理速度を劣化することなく、画像形成装置の色再現範囲を効果的に使うことができる。このため、異なる色空間を指定された複数のオブジェクトが画像データに含まれる場合においても、この画像データを効果的に印刷することができる。
なお、本実施例では、変換対象とする色空間をＡｄｏｂｅＲＧＢ色空間としているが、変換対象とする色空間は、ＡｄｏｂｅＲＧＢ色空間に制限される必要はなく、例えばｓｃＲＧＢ色空間でもよい。画像形成装置１０は、ｓｃＲＧＢ色空間を用いることで、さらに広い色域をサポートすることができる。
【図面の簡単な説明】
【００３４】
【図１】本発明の実施形態におけるタンデム型の画像形成装置１０の構成を示す図である。
【図２】画像処理装置２０の機能構成を例示する図である。
【図３】画像形成装置１０の動作（Ｓ１０）を示すフローチャートである。
【符号の説明】
【００３５】
１０ 画像形成装置
１２ 画像読取ユニット
１４ 画像形成ユニット
１６ 中間転写ベルト
１７ 用紙トレイ
１８ 用紙搬送路
１９ 定着器
２０ 画像処理装置
３２ 記録用紙
３７ 定着器
１３０ 画像読取ユニット
１４０ 光走査装置
２００ データ受付部
２０２ 解析部
２０４ 変換制御部
２０６ 変換部
２０８ａ  第１の描画部
２０８ｂ  第２の描画部
２１０ａ  第１の色変換部
２１０ｂ  第２の色変換部
２１２ 像形成制御部
【図１】
2006080833.tif 000003
【図２】
2006080833.tif 000004
【図３】
2006080833.tif 000005